(57)【要約】【課題】内部柱等の構造物に対して布基礎を造り込む必要がなく、土間へのコンクリート投入後の手間も省略できる脚状部支持構造およびその作製方法を提供する。【解決手段】この脚状部支持構造１は、土間コンクリート２上で構造物の脚状部３１を支持する。この脚状部支持構造１は、上記土間コンクリート２の上側に位置して上記脚状部３１を支持する上側プレート１１と、上記土間コンクリート２の下側に位置する下側プレート１２と、上記上側プレート１１と上記下側プレート１２とを相互に固定するアンカーボルト部１３と、を備える。【選択図】図１
2019056282.tif 000002
【特許請求の範囲】
【請求項１】
土間コンクリート上で構造物の脚状部を支持する脚状部支持構造であって、上記土間コンクリートの上側に位置して上記脚状部を支持する上側プレートと、上記土間コンクリートの下側に位置する下側プレートと、上記上側プレートと上記下側プレートとを相互に固定するアンカーボルト部と、を備えることを特徴とする脚状部支持構造。
【請求項２】
請求項１に記載の脚状部支持構造において、上記アンカーボルト部が上記上側プレート上に突出しており、この突出する部分で上記脚状部を固定することを特徴とする脚状部支持構造。
【請求項３】
請求項１に記載の脚状部支持構造において、上側プレートの略中央に設けられた締結部材が上方に向けて突出しており、上記締結部材で上記脚状部を固定することを特徴とする脚状部支持構造。
【請求項４】
土間コンクリート上で構造物の脚状部を支持する脚状部支持構造であって、上記土間コンクリートの上側に位置して上記脚状部として機能する上側プレートと、上記土間コンクリートの下側に位置する下側プレートと、上記上側プレートと上記下側プレートとを相互に固定するアンカーボルト部と、を備えることを特徴とする脚状部支持構造。
【請求項５】
請求項１〜請求項４に記載の脚状部支持構造において、上記脚状部の上端部が基礎の上端部と略面一となる高さを有することを特徴とする脚状部支持構造。
【請求項６】
請求項５に記載の脚状部支持構造において、上記脚状部は上記構造物を支持する当該構造物と別体の束状部であることを特徴とする脚状部支持構造。
【請求項７】
請求項１〜請求項６に記載の脚状部支持構造において、上記脚状部が支持される箇所の上記土間コンクリートには鉄筋が施されていないことを特徴とする脚状部支持構造。
【請求項８】
請求項１〜請求項７に記載の脚状部支持構造を作製する方法であって、上記上側プレートと上記下側プレートと上記アンカーボルト部とを土間の所定箇所に組み付けて配置した後に、上記上側プレートの下面以上の位置まで土間コンクリートを充填することを特徴とする脚状部支持構造の作製方法。
【発明の詳細な説明】
【技術分野】
【０００１】
この発明は、柱或いは階段等の下側部となるとなる脚状部を支持する脚状部支持構造およびその作製方法に関する。
【背景技術】
【０００２】
特許文献１には、立ち上がり部とベース部からなる逆Ｔ字型の布基礎で囲まれた内部側に埋め戻された埋め戻し土の上部に打設される土間コンクリートの支持構造であって、土間コンクリートを支持する支持体が該布基礎のベース部を支持部として配設されている土間コンクリート支持構造が開示されている。
【０００３】
また、従来より、図６および図７に示すように、建物１００における階段の踊り場を支持する等のために設置される内部柱１０１に対しても布基礎１０２を造り、その立ち上がり部によって上記内部柱１０１を支持するようにしている。或いは、図８に示すように、土間コンクリート１０３の造り込みの段階で鉄筋１０４を配置しておき、この鉄筋１０４の所定箇所にアンカーボルト１０５を埋め込み、このアンカーボルト１０５に支持プレート１０６をナット１０７で固定する構造も知られている。
【先行技術文献】
【特許文献】
【０００４】
【特許文献１】特開２０１０−９５９２０号公報
【発明の概要】
【発明が解決しようとする課題】
【０００５】
しかしながら、上記のように、階段の踊り場を支持する等のために設置される内部柱１０１に対しても布基礎１０２を造り込むのでは、建築コストが割高になるという欠点がある。また、図８に示す構造では、コンクリートを投入した後、上記支持プレート１０６を配置する箇所のコンクリート面をコテによって精度よく均す等の作業手間が必要になることやコンクリートを厚くする必要がある等の欠点があった。
【０００６】
この発明は、上記の事情に鑑み、内部柱等の構造物に対して布基礎を造り込む必要がなく、土間へのコンクリート投入後の手間も省略できる脚状部支持構造およびその作製方法を提供することを課題とする。
【課題を解決するための手段】
【０００７】
この発明の脚状部支持構造は、上記の課題を解決するために、土間コンクリート上で構造物の脚状部を支持する脚状部支持構造であって、上記土間コンクリートの上側に位置して上記脚状部を支持する上側プレートと、上記土間コンクリートの下側に位置する下側プレートと、上記上側プレートと上記下側プレートとを相互に固定するアンカーボルト部と、を備えることを特徴とする。
【０００８】
上記の構成であれば、上記上側プレートと上記下側プレートとで上記土間コンクリートをサンドイッチする構造となるので、当該脚状部支持構造は上記土間コンクリートに移動を拘束されて上記構造物の脚状部をしっかりと支持することができる。さらに、上記下側プレートが上記アンカーボルト部の定着板として機能し、引抜力に抵抗する。また、上記下側プレート等が上記土間コンクリートに対する補強となるので、上記土間コンクリートの厚さを特に増すことなく、或いは、鉄筋による補強を特に行うことなく、当該脚状部支持構造を構築でき、また、上記土間コンクリートのひび割れ防止も図れることになる。
【０００９】
上記アンカーボルト部が上記上側プレート上に突出しており、この突出する部分で上記脚状部を固定するようにしてもよい。
【００１０】
或いは、上側プレートの略中央に設けられた締結部材が上方に向けて突出しており、上記締結部材で上記脚状部を固定するようにしてもよい。これによれば、上記アンカーボルト部を用いないで上記脚状部を固定できるので、上記脚状部をコンパクトにできる。また、土間コンクリートの打設時の上側プレートのずれを防止できる。
【００１１】
また、この発明の脚状部支持構造は、土間コンクリート上で構造物の脚状部を支持する脚状部支持構造であって、上記土間コンクリートの上側に位置して上記脚状部として機能する上側プレートと、上記土間コンクリートの下側に位置する下側プレートと、上記上側プレートと上記下側プレートとを相互に固定するアンカーボルト部と、を備えることを特徴とする。ここで、脚状部として機能する上側プレートとは、別体で存在する脚状部を支持するのではなく、脚状部を兼ねた上側プレート、或いは、脚状部付きの上側プレートのことである。
【００１２】
上記の構成であれば、上記上側プレートと上記下側プレートとで上記土間コンクリートをサンドイッチする構造となるので、当該脚状部支持構造は上記土間コンクリートに移動を拘束されて上記構造物の脚状部をしっかりと支持することができる。さらに、上記下側プレートが上記アンカーボルト部の定着板として機能し、引抜力に抵抗する。また、上記下側プレート等が上記土間コンクリートに対する補強となるので、上記土間コンクリートの厚さを特に増すことなく、或いは、鉄筋による補強を特に行うことなく、当該脚状部支持構造を構築でき、また、上記土間コンクリートのひび割れ防止も図れることになる。さらに、上側プレートが上記脚状部として機能することで、部品点数の削減が図れる。また、土間コンクリートの打設時の上側プレートのずれを防止できる。
【００１３】
上記脚状部の上端部が基礎の上端部と略面一となる高さを有してもよい。これによれば、上記基礎の上端部を基準にして上記脚状部を正確かつ効率的に配置することができる。上記脚状部は上記構造物を支持する当該構造物と別体の束状部であってもよい。
【００１４】
上記脚状部が支持される箇所の上記土間コンクリートには鉄筋が施されていなくてもよい。これによれば、鉄筋の削減によって材料費および作業費の低コスト化が図れる。
【００１５】
また、この発明の脚状部支持構造の作製方法は、上記の脚状部支持構造を作製する方法であって、上記上側プレートと上記下側プレートと上記アンカーボルト部とを土間の所定箇所に組み付けて配置した後に、上記上側プレートの下面以上の位置まで土間コンクリートを充填することを特徴とする。かかる方法であれば、上記上側プレートの高さ位置を目安として上記土間コンクリートを充填することができる。また、上記上側プレートの位置する箇所で上記コンクリートを精度よく均す等の作業手間を省くことができる。
【発明の効果】
【００１６】
本発明であれば、内部柱等に対して布基礎を造り込む必要がなく、土間コンクリート投入後の作業手間も省略できるという効果を奏する。
【図面の簡単な説明】
【００１７】
【図１】本発明の実施形態に係る脚状部支持構造を示した説明図である。
【図２】本発明の実施形態に係る脚状部支持構造の作製方法を示した説明図である。
【図３】本発明の他の実施形態に係る脚状部支持構造を示した説明図である。
【図４】本発明の他の実施形態に係る脚状部支持構造を示した説明図である。
【図５】本発明の他の実施形態に係る脚状部支持構造を示した説明図である。
【図６】布基礎上に内部柱を設ける従来構造を示した説明図である。
【図７】図６の布基礎および内部柱を示した概略の断面図である。
【図８】従来の脚状部支持構造を示した説明図である。
【発明を実施するための形態】
【００１８】
以下、この発明の実施の形態を添付図面に基づいて説明する。
図１に示すように、この実施形態にかかる脚状部支持構造１は、土間コンクリート２上において構造物としての柱３の脚状部３１を支持する。
【００１９】
そして、上記脚状部支持構造１は、上記土間コンクリート２の上側に位置して上記脚状部３１を支持する鋼製の上側プレート１１と、上記土間コンクリート２の下側に位置する鋼製の下側プレート１２と、上記上側プレート１１と上記下側プレート１２とを相互に固定するアンカーボルト１３部と、を備える。
【００２０】
上記下側プレート１２の上面側には、四角形配置で４個のナット１２ａが溶接によって固定されている。なお、ナットを設けずに、上記下側プレート１２自体に螺子孔が形成されていてもよい。また、上記上側プレート１１および上記下側プレート１２のサイズは、例えば、上記柱が６０ｍｍ角程度であれば１５０ｍｍから４５０ｍｍ角程度の大きさとされる。上記下側プレート１２の面積については、この下側プレート１２にかかる荷重Ｐを当該下側プレート１２の面積Ａで割った値（接地圧）が地盤の地耐力以下となるようにする。上記下側プレート１２は四角形状に限らない。
【００２１】
上記ナット１２ａにアンカーボルトが螺合されて立設されることにより上記アンカーボルト部１３が構成される。上記アンカーボルト部１３には上記上側プレート１１を支持する支持ナット１３ａが螺合されている。上記支持ナット１３ａの高さ位置は、上記上側プレート１１が規定の高さに位置するように調整される。
【００２２】
上記上側プレート１１には、上記ナット１２ａの四角形配置に対応する四角形配置で挿通孔１１ａが形成されている。上記上側プレート１１の上記挿通孔１１ａに上記アンカーボルト部１３が通されており、このアンカーボルト部１３の上端側は上記上側プレート１１の上方に突出される。
【００２３】
上記脚状部３１は板部３１ａとこの板部３１ａの中央部に溶接等によって立設された支柱部３１ｂとからなる。上記板部３１ａにも、上記ナット１２ａの四角形配置に対応する四角形配置で挿通孔が形成されている。上記脚状部３１の上記挿通孔に上記アンカーボルト部１３が通されており、このアンカーボルト部１３の上端部は上記板部３１ａの上方に突出されている。
【００２４】
上記板部３１ａの上方に突出する上記アンカーボルト部１３の上端部には、固定ナット１４が螺合されている。この固定ナット１４が締め付けられることで、上記脚状部３１が上記上側プレート１１に固定される。
【００２５】
上記の構成であれば、上記上側プレート１１と上記下側プレート１２とで上記土間コンクリート２をサンドイッチする構造となるので、当該脚状部支持構造１は上記土間コンクリート２に移動を拘束されて上記柱３の脚状部３１をしっかりと支持することができる。さらに、上記下側プレート１２が上記アンカーボルト部１３の定着板として機能し、引抜力に抵抗する。また、上記下側プレート１２等が上記土間コンクリート２に対する補強となるので、上記土間コンクリート２の厚さを特に増すことなく、或いは、鉄筋による補強を特に行うことなく、当該脚状部支持構造１を構築でき、また、上記土間コンクリート２のひび割れ防止も図れることになる。図１の構造例では、上記脚状部３１が支持される箇所の上記土間コンクリート２には鉄筋は施されておらず、このように鉄筋による補強を特に行わないことよって低コスト化が図られたものとなっている。
【００２６】
上記脚状部支持構造１の作製方法の一例を以下に説明する。例えば、図２に示すように、土間部分において整地および転圧等の作業を行った後、上記上側プレート１１と上記下側プレート１２と上記アンカーボルト部１３とを土間の所定箇所（内部柱の設置箇所等）に組み付けて配置する。例えば、上記下側プレート１２に上記アンカーボルト部１３をねじ込み、この状態のものを土間の所定箇所に配置し、上記アンカーボルト部１３に支持ナット１３ａを螺合し、さらに上記上側プレート１１をセットし、上記支持ナット１３ａを調整して上記上側プレート１１の高さ調整を行う。さらに、例えば、上記固定ナット１４を上記上側プレート１１の仮固定のために上記アンカーボルト部１３に螺合させておく。その後に、上記上側プレート１１の下面以上で上面以下の位置まで土間コンクリート２を充填する。土間コンクリート２の厚さは、例えば、６０ｍｍ程度とされる。養生後に、上記仮固定のために用いていた上記固定ナット１４を外し、柱３の脚状部３１を上記上側プレート１１上にセットし、上記固定ナット１４を上記アンカーボルト部１３に再度螺合させる。
【００２７】
かかる方法であれば、上記上側プレート１１の高さ位置を目安として上記土間コンクリート２を充填することができる。また、上記上側プレート１１はアンカー定規として機能し、土間コンクリート２の天端を兼ねるものとすることができる。そして、上記上側プレート１１の位置する箇所で上記土間コンクリート２を精度よく均す等の作業手間を省くことができる。また、上記土間コンクリート２が仕上がれば、上記脚状部支持構造１がプレセットされた状態となり、このような脚状部支持構造１に対して柱等の設置作業が効率的に行える。
【００２８】
ここで、上記上側プレート１１の下面に凹凸を形成しておくと、上記上側プレート１１を投入されたコンクリート２にしっかりと定着させることができる。また、上記上側プレート１１に空気抜け用の貫通孔を形成しておくと、コンクリート２を上記上側プレート１１の下面側に隙間なく入り込ませることができ、また、上記の凹凸と同様にコンクリート２の定着にも寄与できる。
【００２９】
次に、他の実施形態について説明していく。図３に示すように、この実施形態の脚状部支持構造１では、上側プレート１１がその略中央に頭付きボルトからなる締結部材１１ｂを備えている。この締結部材１１ｂはその頭部を上側プレート１１の下面側に位置させ、螺子部を上側プレート１１の上面に突き出している。一方、上記柱３は、脚状部３１Ａを備えている。この脚状部３１Ａは、板部３１ｃとこの板部３１ｃ上に固定された箱状部３１ｄとからなる。この箱状部３１ｄの一側面部は開口されており、固定ナット３２の装着等が可能になっている。そして、上記板部３１ｃの中央には挿通孔が形成されており、この挿通孔に上記締結部材１１ｂの螺子部が通されるように、上記脚状部３１Ａが上記上側プレート１１上にセットされ、上記固定ナット３２が上記締結部材１１ｂの螺子部に螺合される。
【００３０】
このような構成では、上記アンカーボルト部１３を用いないで上記脚状部３１Ａを固定できるので、上記脚状部３１Ａをコンパクトにすることができる。
【００３１】
さらに、他の実施形態について説明していく。図４に示すように、この実施形態の脚状部支持構造１では、上記上側プレート１１が柱３と別体の束状部として機能する脚状部１１０となっている。一例として、上側プレート１１の上面の中央部に上記脚状部１１０の支柱部１１０ａが溶接等によって立設されており、この支柱部１１０ａの上端部にフランジ部１１０ｂが溶接等により固定されている。上記柱３の下端部にもフランジ部３３が設けられており、これらフランジ部１１０ｂとフランジ部３３とがボルト・ナット４によって相互に固定される。
【００３２】
このような脚状部支持構造１においても、上記上側プレート１１と上記下側プレート１２とで上記土間コンクリート２をサンドイッチする構造となるので、当該脚状部支持構造１は上記土間コンクリート２に移動を拘束されて上記脚状部１１０をしっかりと支持することができる。さらに、上記下側プレート１２が上記アンカーボルト部１３の定着板として機能し、引抜力に抵抗する。また、上記下側プレート１２等が上記土間コンクリート２に対する補強となるので、上記土間コンクリート２の厚さを特に増すことなく、或いは、鉄筋による補強を特に行うことなく、当該脚状部支持構造１を構築でき、また、上記土間コンクリート２のひび割れ防止も図れることになる。さらに、上側プレート１１が上記脚状部１１０として機能することで、部品点数の削減が図れる。
【００３３】
また、上記実施形態では、上記脚状部１１０の上端部が他の箇所の基礎（布基礎の立ち上り部）の上端と略面一となる高さになっている。これにより、他の箇所の基礎の上端を基準にして上記脚状部１１０を正確かつ効率的に配置していくことができる。
【００３４】
さらに、図５に基づいて他の実施形態について説明していく。この実施形態の脚状部支持構造１を図１の脚状部支持構造１との対比で説明すると、先の図１の脚状部支持構造１では、柱３用の脚状部３１を支持するのに対し、図５の脚状部支持構造１では、鋼製の階段３００の土台部として機能する脚状部３０１を支持する。この脚状部３０１は、例えば、階段３００の幅に切断されたＨ形状の鋼材からなる。そして、上記脚状部支持構造１は、例えば、上記脚状部３０１の両端側の２か所に設けられる。なお、このように、本願において、脚状部には、柱脚の他、束状のものや土台状のものが含まれる。
【００３５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３６】
１        ：脚状部支持構造
２        ：土間コンクリート
３        ：柱
１１      ：上側プレート
１１ａ    ：挿通孔
１１ｂ    ：締結部材
１２      ：下側プレート
１２ａ    ：ナット
１３      ：アンカーボルト部
１３ａ    ：支持ナット
１４      ：固定ナット
３１      ：脚状部
３１Ａ    ：脚状部
３１ａ    ：板部
３１ｂ    ：支柱部
３１ｃ    ：板部
３１ｄ    ：箱状部
３２      ：固定ナット
３３      ：フランジ部
１１０    ：脚状部
１１０ａ  ：支柱部
１１０ｂ  ：フランジ部
３００    ：階段
３０１    ：脚状部
【図１】
2019056282.tif 000003
【図２】
2019056282.tif 000004
【図３】
2019056282.tif 000005
【図４】
2019056282.tif 000006
【図５】
2019056282.tif 000007
【図６】
2019056282.tif 000008
【図７】
2019056282.tif 000009
【図８】
2019056282.tif 000010